(57)【要約】      （修正有）【課題】トリップロック端子台の接続状態を適切に認識する。【解決手段】トリップロック端子台２は、基板６に固定される第１端子１０ａ及び第２端子１０ｂと、第１端子と第２端子との間に配置されて第１端子と第２端子とを接続する短絡片６０と、第１端子と第２端子との間であって短絡片と対向する位置に設けられ、短絡片が第１端子と第２端子との間に配置された場合に、電源部からの通知用電流を導通する短絡片検出部５０と、第１端子に設けられ、短絡片検出部と電気的に接続され、短絡片が第１端子に取付けられると、通知用電流を導通する第１素子３０ａと、第２端子に設けられ、短絡片検出部と電気的に接続され、短絡片が第２端子に取付けられると、通知用電流を導通する第２素子３０ｂと、第１素子及び第２素子と電気的に接続されて、第１素子が通知用電流を導通しているか否か、及び第２素子が通知用電流を導通しているか否かを通知する通知部とを有する。【選択図】図１
2016131079.tif 000002
【特許請求の範囲】
【請求項１】
基板に固定される第１端子及び第２端子と、
前記第１端子と第２端子との間に配置されて前記第１端子と第２端子とを接続する短絡片と、
前記第１端子と第２端子との間であって前記短絡片と対向する位置に設けられ、前記短絡片が前記第１端子と第２端子との間に配置された場合に、電源部からの通知用電流を導通する短絡片検出部と、
前記第１端子に設けられ、前記短絡片検出部と電気的に接続され、前記短絡片が前記第１端子に取付けられると、前記通知用電流を導通する第１素子と、
前記第２端子に設けられ、前記短絡片検出部と電気的に接続され、前記短絡片が前記第２端子に取付けられると、前記通知用電流を導通する第２素子と、
前記第１素子及び前記第２素子と電気的に接続されて、前記第１素子が前記通知用電流を導通しているか否か、及び前記第２素子が前記通知用電流を導通しているか否かを通知する通知部と、を有するトリップロック端子台。
【請求項２】
前記第１素子は、前記第１端子と前記短絡片とに挟持され、前記短絡片によって前記第１端子に所定の閾値以上の力が作用すると、前記通知用電流を導通し、
前記第２素子は、前記第２端子と前記短絡片とに挟持され、前記短絡片によって前記第２端子に所定の閾値以上の力が作用すると、前記通知用電流を導通する、請求項１に記載のトリップロック端子台。
【請求項３】
前記短絡片検出部はフォトリフレクタであり、自身の照射した光が短絡片に反射されることにより、前記通知用電流を導通する、請求項１又は請求項２に記載のトリップロック端子台。
【請求項４】
前記通知部は、
前記第１素子に電気的に接続され、前記第１素子が前記通知用電流を導通することにより光を点灯する第１点灯部と、
前記第２素子に電気的に接続され、前記第２素子が前記通知用電流を導通することにより光を点灯する第２点灯部と、を有する、請求項１から請求項３のいずれか１項に記載のトリップロック端子台。
【請求項５】
請求項１から請求項４のいずれか１項に記載のトリップロック端子台の複数とそれぞれ電気的に接続される複数のフォトカプラユニットと、
前記フォトカプラユニットにフォトカプラ用電流を供給するフォトカプラ電源部と、
複数の前記フォトカプラユニットと電気的に接続されるリレー部と、
前記リレー部によって通電されて、通電されている状態であることを通知する状態通知部と、を有し、
前記フォトカプラユニットは、前記トリップロック端子台の第１素子と電気的に接続される第１フォトカプラ部と、前記トリップロック端子台の第２素子と電気的に接続される第２フォトカプラ部と、を有し、
前記第１フォトカプラ部は、前記第１素子が導通した前記通知用電流が入力されることにより発光する第１発光部と、前記第１発光部からの光を受光することにより、前記フォトカプラ用電流を導通する第１フォトトランジスタ部とを有し、
前記第２フォトカプラ部は、前記第２素子が導通した前記通知用電流が入力されることにより発光する第２発光部と、前記第２発光部からの光を受光することにより、前記フォトカプラ用電流を導通する第２フォトトランジスタ部とを有し、
前記リレー部は、複数の前記フォトカプラユニットが有する前記第１フォトカプラ部と前記第２フォトカプラ部とのうち、少なくともいずれか１つが前記フォトカプラ用電流を導通しない場合に、前記状態通知部を通電する、トリップロック端子台の接続状態検出装置。
【発明の詳細な説明】
【技術分野】
【０００１】
本発明は、トリップロック端子台及びトリップロック端子台の接続状態検出装置に関する。
【背景技術】
【０００２】
発変電所などの電力保護制御回路として、保護継電器と遮断器とを含む回路が採用されている。保護継電器は、入力された電流データ又は電圧データに異常がある場合において、遮断器を動作させ、負荷側電路の負荷側機器に対する接続を遮断するように構成されている。このような保護継電器と遮断器との間に、トリップロック端子台が接続されている。このトリップロック端子台は、常時は閉路（接続状態）とされる。また、このトリップロック端子台は、定期点検時等に負荷側電路の負荷側機器に対する接続を遮断しないように、定期点検時等には開路（非接続状態）とされる。
【０００３】
このようなトリップロック端子台を閉路とする際には、短絡片を一対の端子に取り付け、一対の端子同士を短絡片で接続する。そして、トリップロック端子台を開路とする際には、短絡片を一対の端子から取り外し、一対の端子同士を非接続とする。短絡片を一対の端子に取り付ける際は、それぞれの端子に設けられたねじ部などにより短絡片を挟み、締め付ける方法が適用されている。しかし、締め付けが不十分であった場合、トリップロック端子台が閉路とならず、遮断器が作動しないおそれがある。例えば特許文献１には、トリップロック端子台が閉路となっていることを作業者が認識できるような技術が開示されている。
【先行技術文献】
【特許文献】
【０００４】
【特許文献１】特開２０１１−６０５８８号公報
【発明の概要】
【発明が解決しようとする課題】
【０００５】
特許文献１には、短絡片に目印をつけて、トリップロック端子台が閉路となっているかを視認することができる技術について記載されている。しかし、このトリップロック端子台には、トリップロック端子台の接続状態を適切に作業者が認識するために、改善の余地がある。
【０００６】
本発明は、トリップロック端子台の接続状態を適切に認識できるトリップロック端子台及びトリップロック端子台の接続状態検出装置を提供することを目的とする。
【課題を解決するための手段】
【０００７】
上述した課題を解決し、目的を達成するために、本発明のトリップロック端子台は、基板に固定される第１端子及び第２端子と、前記第１端子と第２端子との間に配置されて前記第１端子と第２端子とを接続する短絡片と、前記第１端子と第２端子との間であって前記短絡片と対向する位置に設けられ、前記短絡片が前記第１端子と第２端子との間に配置された場合に、電源部からの通知用電流を導通する短絡片検出部と、前記第１端子に設けられ、前記短絡片検出部と電気的に接続され、前記短絡片が前記第１端子に取付けられると、前記通知用電流を導通する第１素子と、前記第２端子に設けられ、前記短絡片検出部と電気的に接続され、前記短絡片が前記第２端子に取付けられると、前記通知用電流を導通する第２素子と、前記第１素子及び前記第２素子と電気的に接続されて、前記第１素子が前記通知用電流を導通しているか否か、及び前記第２素子が前記通知用電流を導通しているか否かを通知する通知部と、を有する。
【０００８】
前記トリップロック端子台において、前記第１素子は、前記第１端子と前記短絡片とに挟持され、前記短絡片によって前記第１端子に所定の閾値以上の力が作用すると、前記通知用電流を導通し、前記第２素子は、前記第２端子と前記短絡片とに挟持され、前記短絡片によって前記第２端子に所定の閾値以上の力が作用すると、前記通知用電流を導通することが好ましい。
【０００９】
前記トリップロック端子台において、前記短絡片検出部はフォトリフレクタであり、自身の照射した光が短絡片に反射されることにより、前記通知用電流を導通することが好ましい。
【００１０】
前記トリップロック端子台において、前記通知部は、前記第１素子に電気的に接続され、前記第１素子が前記通知用電流を導通することにより光を点灯する第１点灯部と、前記第２素子に電気的に接続され、前記第２素子が前記通知用電流を導通することにより光を点灯する第２点灯部と、を有することが好ましい。
【００１１】
上述した課題を解決し、目的を達成するために、本発明のトリップロック端子台の接続状態検出装置は、前記トリップロック端子台の複数とそれぞれ電気的に接続される複数のフォトカプラユニットと、前記フォトカプラユニットにフォトカプラ用電流を供給するフォトカプラ電源部と、複数の前記フォトカプラユニットと電気的に接続されるリレー部と、前記リレー部によって通電されて、通電されている状態であることを通知する状態通知部と、を有し、前記フォトカプラユニットは、前記トリップロック端子台の第１素子と電気的に接続される第１フォトカプラ部と、前記トリップロック端子台の第２素子と電気的に接続される第２フォトカプラ部と、を有し、前記第１フォトカプラ部は、前記第１素子が導通した前記通知用電流が入力されることにより発光する第１発光部と、前記第１発光部からの光を受光することにより、前記フォトカプラ用電流を導通する第１フォトトランジスタ部とを有し、前記第２フォトカプラ部は、前記第２素子が導通した前記通知用電流が入力されることにより発光する第２発光部と、前記第２発光部からの光を受光することにより、前記フォトカプラ用電流を導通する第２フォトトランジスタ部とを有し、前記リレー部は、複数の前記フォトカプラユニットが有する前記第１フォトカプラ部と前記第２フォトカプラ部とのうち、少なくともいずれか１つが前記フォトカプラ用電流を導通しない場合に、前記状態通知部を通電することが好ましい。
【発明の効果】
【００１２】
本発明によれば、トリップロック端子台の接続状態を適切に認識することができる。
【図面の簡単な説明】
【００１３】
【図１】図１は、第１実施形態に係るトリップロックユニットの構成を模式的に示す一部断面図である。
【図２】図２は、第１実施形態に係るトリップロックユニットの構成を模式的に示す斜視図である。
【図３】図３は、第１実施形態に係るトリップロック端子台の電気的な接続を説明した模式図である。
【図４】図４は、第１実施形態に係るトリップロック端子台の回路構成を示す回路図である。
【図５】図５は、第１点灯部と第２点灯部とが光を点灯する場合のフローを説明するフローチャートである。
【図６】図６は、第２実施形態に係るトリップロック端子台と接続状態検出装置との回路構成を模式的に示す回路図である。
【発明を実施するための形態】
【００１４】
以下に添付図面を参照して、本発明の好適な実施形態を詳細に説明する。
【００１５】
（第１実施形態）
（トリップロックユニットの全体構成）
以下、第１実施形態について説明する。図１は、第１実施形態に係るトリップロックユニットの構成を模式的に示す一部断面図である。図２は、第１実施形態に係るトリップロックユニットの構成を模式的に示す斜視図である。図１に示すように、第１実施形態に係るトリップロックユニット１は、トリップロック端子台２と、回路部５とを有する。トリップロックユニット１は、遮断器と保護継電器との接続及び非接続を切り替える装置である。なおここでの遮断器とは、事故などの異常時に、負荷側電路の負荷側機器に対する接続を遮断するものである。また、保護継電器とは、異常を検出して、異常を検出した場合に遮断器を作動させるものである。
【００１６】
最初に、回路部５について説明する。回路部５は、保護継電器と遮断器とに接続されている回路である。図１に示すように、回路部５は、基板６と、第１回路接続部７ａと、第２回路接続部７ｂと、接続部８ａ、８ｂと、を有する。基板６は、回路部５が形成する回路の表面に配置される基板である。基板６は、第１端子１０ａ及び第２端子１０ｂが取り付けられる。図１に示すように、基板６は、第１端子台２０ａを取り付けるための穴である穴部６ａと、第２端子台２０ｂを取り付けるための穴である穴部６ｂとを有する。
【００１７】
第１回路接続部７ａは、基板６の内部に収容されており、保護継電器に接続されている。接続部８ａは、基板６の内部に収容されており、第１回路接続部７ａと第１端子１０ａとを接続する導電性部材である。接続部８ａは、一方の端部が第１回路接続部７ａと接続されている。接続部８ａは、他方の端部に、取付部８Ａａを有する。取付部８Ａａは、鉤状となっており、第１端子１０ａに接続される。
【００１８】
第２回路接続部７ｂは、基板６の内部に収容されており、遮断器に接続されている。接続部８ｂは、基板６の内部に収容されており、第２回路接続部７ｂと第２端子１０ｂとを接続する導電性部材である。接続部８ｂは、接続部８ａと同じ構成を有する。
【００１９】
トリップロック端子台２は、第１端子１０ａと、第２端子１０ｂと、第１端子台２０ａと、第２端子台２０ｂと、第１素子３０ａと、第２素子３０ｂと、第１点灯部３５ａと、第２点灯部３５ｂと、短絡片検出部５０と、短絡片６０と、を有する。トリップロック端子台２は、第１端子１０ａが、回路部５の第１回路接続部７ａに接続され、第２端子１０ｂが、回路部５の第２回路接続部７ｂに接続される。また、トリップロック端子台２は、常時においては短絡片６０により第１端子１０ａと第２端子１０ｂとを接続して、回路部５を閉路（接続状態）とする。しかし、例えば保護継電器の定期点検の際には、トリップロック端子台２は、短絡片６０が取り外され、第１端子１０ａと第２端子１０ｂとを非接続とし、回路部５を開路（非接続状態）とする。
【００２０】
図１に示すように、第１端子１０ａは、頭部１１ａと軸部１２ａとを有する。頭部１１ａは、軸状の部材である軸部１２ａの一方の端部に固定されている部材である。第１実施形態において、頭部１１ａは、軸部１２ａの外径よりも、外径が大きくなっている円柱状の部材であるが、その形状は任意である。
【００２１】
軸部１２ａは、上述のように、一方の端部である末端部が頭部１１ａに固定される軸状の部材である。図１に示すように、軸部１２ａは、外筒部１３ａと、内筒部１４ａと、内軸部１５ａとを有する。外筒部１３ａは、筒状の導線性部材であり、外周がねじ部となっている。内筒部１４ａは、筒状の導線性部材である。内筒部１４ａは、外筒部１３ａの内部に挿通されて、外筒部１３ａに固定されている。より詳しくは、内筒部１４ａの外周部と、外筒部１３ａの内周部とは、絶縁体を介して固定されている。従って、内筒部１４ａと外筒部１３ａとは電気的に絶縁されている。内軸部１５ａは、導電性の軸状部材である。内軸部１５ａは、内筒部１４ａの内部に挿通されて、内筒部１４ａに固定されている。より詳しくは、内軸部１５ａの外周部と、内筒部１４ａの内周部とは、絶縁体を介して固定されている。従って、内軸部１５ａと内筒部１４ａとは電気的に絶縁されている。同様に、内軸部１５ａと外筒部１３ａとも、電気的に絶縁されている。
【００２２】
第１実施形態においては、軸部１２ａは、外筒部１３ａの軸方向の長さが、内筒部１４ａ及び内軸部１５ａの軸方向の長さよりも短くなっている。内筒部１４ａ及び内軸部１５ａの先端部及び末端部は、外筒部１３ａから突出している。軸部１２ａは、末端部において、外筒部１３ａから突出している内筒部１４ａ及び内軸部１５ａの端面が、頭部１１ａに取付けられている。
【００２３】
図１に示すように、第１端子台２０ａは、胴部２１ａと、座金部２４ａと、ナット部２５ａとを有する。第１端子台２０ａは、第１端子１０ａを第１回路接続部７ａに接続するための基台である。
【００２４】
図１に示すように、胴部２１ａは、胴体部２２ａと、突起部２３ａとを有する。胴体部２２ａは、筒状部材であり、内周部がめねじとなっている。胴体部２２ａの一方の端部は、突起部２３ａが延在している。突起部２３ａは、胴体部２２ａよりも外径が小さい筒状部材である。突起部２３ａの内周部もめねじとなっており、胴体部２２ａの内周部と突起部２３ａの内周部とは、軸方向に連結しており、内周部２１Ａａを構成している。また、突起部２３ａの外周部はおねじとなっている。
【００２５】
図１に示すように、座金部２４ａは、胴体部２２ａの他方の端部（突起部２３ａと反対側の端部）に取付けられるワッシャー（座金）である。座金部２４ａは、円板状の部材の中心に貫通穴を有する部材である。座金部２４ａの内周部と胴部２１ａの内周部２１Ａａとは、導通している。
【００２６】
図１に示すように、ナット部２５ａは、内周部がめねじとなっているナットである。ナット部２５ａは、内周部が突起部２３ａの外周部に取付けられる。詳しくは後述するが、ナット部２５ａは、突起部２３ａにねじ締めされることにより、胴体部２２ａと共に基板６を挟持する。
【００２７】
詳しくは後述するが、第１端子台２０ａは、胴体部２２ａとナット部２５ａとで回路部５の基板６を挟持することにより、回路部５の基板６に固定される。また、第１端子台２０ａは、胴部２１ａの内周部２１Ａａに、第１端子１０ａの軸部１２ａが挿入される。より詳しくは、胴部２１ａの内周部２１Ａａのねじと、軸部１２ａの外筒部１３ａの外周のねじとが締め付けられることにより、胴部２１ａに、軸部１２ａが取付けられる。第１端子１０ａは、第１端子台２０ａに対して取付け及び取外しが可能となっている。
【００２８】
図１に示すように、第１素子３０ａは、第１端子１０ａに取付けられている。第１素子３０ａは、圧力が加えられると電気抵抗が小さくなる圧力素子である。第１素子３０ａは、円板状の部材で、中央に貫通穴３１ａが設けられている。第１素子３０ａは、一方の表面が、頭部１１ａの軸部１２ａ側の端面に取付けられている。また、第１素子３０ａは、貫通穴３１ａに、軸部１２ａの内筒部１４ａ及び内軸部１５ａが挿通されている。より詳しくは、第１素子３０ａの貫通穴３１ａには、外筒部１３ａから突出している内筒部１４ａ及び内軸部１５ａの末端部が挿通されている。第１素子３０ａは、内筒部１４ａと接触しており、内筒部１４ａと電気的に接続されている。また、第１素子３０ａは、外筒部１３ａ及び内軸部１５ａとは電気的に絶縁されている。
【００２９】
第１点灯部３５ａは、本実施形態ではＬＥＤ（Ｌｉｇｈｔ  Ｅｍｉｔｔｉｎｇ  Ｄｉｏｄｅ）であり、電流が流れる、つまり導通することにより点灯する。図１に示すように、第１点灯部３５ａは、頭部１１ａの第１素子３０ａと反対側の端面に取付けられている。
【００３０】
第２端子１０ｂは、第１端子１０ａと同じ構造を有するため、詳細な説明は省略する。より詳しくは、第２端子１０ｂは、頭部１１ｂと、軸部１２ｂとを有する。頭部１１ｂは、頭部１１ａに対応し、頭部１１ａと同じ構成となる。軸部１２ｂは、外筒部１３ｂ、内筒部１４ｂ、及び内軸部１５ｂを有する。軸部１２ｂは、軸部１２ａに対応し、軸部１２ａと同じ構成となる。
【００３１】
第２端子台２０ｂは、第２端子１０ｂを第２回路接続部７ｂに接続するための基台である。第２端子台２０ｂは、第１端子台２０ｂと同じ構成を有するため、詳細な説明は省略する。第２端子台２０ｂは、胴部２１ｂと、座金部２４ｂと、ナット部２５ｂとを有する。胴部２１ｂは、胴体部２２ｂ及び突起部２３ｂを有する。
【００３２】
第２素子３０ｂは、第２端子１０ｂに取付けられる。第２素子３０ｂは、第１端子１０ａに取付けられる第１素子３０ａと対応し、第１素子３０ａと構成が共通するため、説明を省略する。
【００３３】
第２点灯部３５ｂは、第２端子１０ｂに取付けられる。第２点灯部３５ｂは、第１端子１０ａに取付けられる第１点灯部３５ａと対応し、第１点灯部３５ａと構成が共通するため、説明を省略する。
【００３４】
短絡片検出部５０は、第１実施形態においては、フォトリフレクタである。フォトリフレクタは、発光部とフォトトランジスタとが一体化された位置センサである。短絡片検出部５０は、発光部５１と、フォトトランジスタ部５２とを有する。図１及び図２に示すように、短絡片検出部５０は、第１端子１０ａと第２端子１０ｂとの間に設けられる。言い換えれば、短絡片検出部５０は、基板６の穴部６ａと穴部６ｂとの間に設けられる。詳しくは後述するが、短絡片検出部５０は、第１端子１０ａと第２端子１０ｂとの間に短絡片６０が配置されたことを検出し、第１端子１０ａと第２端子１０ｂとの間に短絡片６０が配置された場合に、短絡片検出部５０に接続された電源部からの電流を流す、つまり導通する。
【００３５】
図１及び図２に示すように、短絡片６０は、導電性の本体部６１と、本体部６１の両端に設けられる導電性の鉤部６２ａ及び６２ｂと、本体部６１の中央部（鉤部６２ａと鉤部６２ｂとの間）の外周を覆う絶縁性の絶縁部６３とから構成されている。鉤部６２ａ、６２ｂは、鉤状となっている。絶縁部６３は、光を反射する光反射性が高い部材により形成されている。短絡片６０は、第１端子１０ａと第２端子１０ｂとへの取付け及び取外しが可能となっている。ただし、短絡片６０は、このような構成に限られず、両端部がそれぞれ第１端子１０ａと第２端子１０ｂと接続される導電性の部材により形成されていればよい。
【００３６】
（回路部へのトリップロック端子台の取付け）
トリップロック端子台２は、回路部５に取付けられて、第１回路接続部７ａと接続されている保護継電器と、第２回路接続部７ｂに接続されている遮断器との、接続及び非接続を切り替える機能を有する。以下、トリップロック端子台２の回路部５への取付けについて説明する。最初に、第１回路接続部７ａと第１端子１０ａとを接続する方法について説明する。
【００３７】
トリップロック端子台２は、回路部５の基板６の穴部６ａに、第１端子台２０ａの突起部２３ａが挿入され、第１端子台２０ａの胴体部２２ａと基板６の表面とが当接している。また、突起部２３ａは、基板６を挟持するように、ナット部２５ａが取り付けられている。第１端子台２０ａの胴体部２２ａとナット部２５ａとは、ナット部２５ａの内周のねじ部を突起部２３ａの外周のねじ部に取付けて、互いのねじ部を締め付けることで、基板６を挟持する。これにより、第１端子台２０ａが基板６に取付けられる。
【００３８】
また、第１回路接続部７ａには、接続部８ａが接続されている。第１端子台２０ａの突起部２３ａの先端部は、接続部８ａの取付部８Ａａに隣接して配置されている。ただし、接続部８ａと第１端子台２０ａとは、電気的に絶縁されている。
【００３９】
第１端子１０ａは、軸部１２ａが、第１端子台２０ａの内周部２１Ａａに挿入される。より詳しくは、第１端子１０ａの外筒部１３ａの外周のねじ部と、第１端子台２０ａの内周部２１Ａａのねじ部とが締め付けられることにより、第１端子台２０ａの内周部２１Ａａに挿入される。これにより、第１端子１０ａは、外筒部１３ａが、接続部８ａの取付部８Ａａに取付けられ、外筒部１３ａと接続部８ａとが電気的に接続される。これにより、第１端子１０ａと第１回路接続部７ａとが、接続される。
【００４０】
第２端子台２０ｂも、第１端子台２０ａと同様の方法で、基板６の穴部６ｂに挿入され、基板６に固定されている。第２端子１０ｂも、第１端子１０ａと同様の方法で、第２端子台２０ｂに挿入される。そして、第２端子１０ｂの外筒部１３ｂと接続部８ｂとが、電気的に接続される。これにより、第２端子１０ｂと第２回路接続部７ｂとが、接続される。
【００４１】
そして、第１端子１０ａと第２端子１０ｂとは、短絡片６０により接続される。より詳しくは、第１端子１０ａは、第１端子台２０ａに取付けられる際、第１素子３０ａと座金部２４ａとの間に、スペースが設けられている。従って、第１素子３０ａと座金部２４ａとの間では、外筒部１３ａが外部に露出している。短絡片６０は、鉤部６２ａが、外部に露出している外筒部１３ａに取付けられる。そして、外筒部１３ａの外周のねじ部と、第１端子台２０ａの内周部２１Ａａのねじ部とを、さらに締め付けることにより、第１素子３０ａと座金部２４ａとが、短絡片６０の鉤部６２ａを挟みこみ、短絡片６０を第１端子１０ａの外筒部１３ａに固定する。これにより、第１端子１０ａの外筒部１３ａは、短絡片６０と接続される。
【００４２】
同様に、第２端子１０ｂは、第２端子台２０ｂに取付けられる際、第２素子３０ｂと座金部２４ｂとの間に、スペースが設けられている。従って、第２素子３０ｂと座金部２４ｂとの間では、外筒部１３ｂが外部に露出している。短絡片６０は、鉤部６２ｂが、外部に露出している外筒部１３ｂに取付けられる。そして、外筒部１３ｂの外周のねじ部と、第２端子台２０ｂの内周部２１Ａｂのねじ部とを、さらに締め付けることにより、第２素子３０ｂと座金部２４ｂとが、短絡片６０の鉤部６２ｂを挟みこみ、短絡片６０を第２端子１０ｂの外筒部１３ｂに固定する。これにより、第２端子１０ｂの外筒部１３ｂは、短絡片６０と接続される。
【００４３】
第１端子１０ａの外筒部１３ａと短絡片６０とが接続され、第２端子１０ｂの外筒部１３ｂと短絡片６０とが接続されることにより、第１端子１０ａと第２端子１０ｂとが接続される。
【００４４】
短絡片６０は、第１端子１０ａ及び第２端子１０ｂに取付けられた場合、本体部６１が、第１端子１０ａと第２端子１０ｂとの間の位置、すなわち、短絡片検出部５０と対向する位置に配置される。より詳しくは、短絡片６０は、第１端子１０ａ及び第２端子１０ｂに取付けられた場合、絶縁部６３が、第１端子１０ａと第２端子１０ｂとの間の位置、すなわち、短絡片検出部５０と対向する位置に配置される。
【００４５】
トリップロック端子台２は、以上のように回路部５に取付けられる。トリップロック端子台２は、第１回路接続部７ａと第２回路接続部７ｂとを接続状態（閉路）とする場合は、短絡片６０を、第１端子１０ａ及び第２端子１０ｂに取付ける。また、トリップロック端子台２は、第１回路接続部７ａと第２回路接続部７ｂとを非接続状態（開路）とする場合は、短絡片６０を、第１端子１０ａ及び第２端子１０ｂから取り外す。
【００４６】
例えば、遮断器を作動させるための電気信号が第１回路接続部７ａから第２回路接続部７ｂへ出力された場合、この電気信号は、次のような順路で第２回路接続部７ｂへ出力される。なお、この場合、短絡片６０は、第１端子１０ａ及び第２端子１０ｂに取付けられている。第１回路接続部７ａからの電気信号は、接続部８ａを介して、第１端子１０ａの外筒部１３ａに伝達される。外筒部１３ａと短絡片６０とは電気的に接続されているため、外筒部１３ａに伝達された電気信号は、短絡片６０に伝達される。また、短絡片６０と第２端子１０ｂの外筒部１３ｂとは電気的に接続されている。従って、短絡片６０に伝達された電気信号は、外筒部１３ｂに伝達される。外筒部１３ｂに伝達された電気信号は、接続部８ｂを介して、第２回路接続部７ｂに伝達される。
【００４７】
このように、短絡片６０が第１端子１０ａ及び第２端子１０ｂに取付けられている場合、第１回路接続部７ａの電気信号は、第２回路接続部７ｂへ伝達される。しかし、短絡片６０が第１端子１０ａ又は第２端子１０ｂのうち少なくともいずれかに接続されていない場合、第１回路接続部７ａの電気信号は、第２回路接続部７ｂへ伝達されない。上述のように、例えば保護継電器の定期点検の際には、トリップロック端子台２は、短絡片６０を取り外し、第１端子１０ａと第２端子１０ｂとを非接続（開路）とする。さらに、点検時に短絡片６０を取り外した後、通常運転に移行する際に、短絡片６０を取り付けることを作業員が忘れるおそれがある。また、第１端子１０ａと第１端子台２０ａとのねじの締付や、第２端子１０ｂと第２端子台２０ｂとのねじの締付が適切に行われない場合、短絡片６０と第１端子１０ａとが電気的に接続されなかったり、短絡片６０と第２端子１０ｂとが電気的に接続されなかったりするおそれがある。この場合においても、第１回路接続部７ａからの電気信号は、第２回路接続部７ｂへ伝達されない。第１実施形態に係るトリップロック端子台２は、短絡片６０と第１端子１０ａとが電気的に接続され、短絡片６０と第２端子１０ｂとが電気的に接続されていることを、作業者が確実に認識できるように、第１点灯部３５ａと第２点灯部３５ｂとに光を点灯させる。
【００４８】
（第１点灯部と第２点灯部との光の点灯について）
次に、第１点灯部３５ａと第２点灯部３５ｂとの光の点灯について説明する。図３は、第１実施形態に係るトリップロック端子台の電気的な接続を説明した模式図である。図４は、第１実施形態に係るトリップロック端子台の回路構成を示す回路図である。最初に、図３を参照に、トリップロック端子台２の各部の電気的な接続について説明する。図３に示すように、トリップロック端子台２には、電源部８０と、配線８１、８２ａ、８２ｂ、８４ａ、８４ｂ、８５ａ、８５ｂ、８７ａ、８７ｂとが接続されている。また、トリップロック端子台２には、電源部１００と、配線１０１、１０２とが接続されている。電源部８０は、第１点灯部３５ａと第２点灯部３５ｂとに光を点灯させるための通知用電流を供給する電源である。電源部１００は、短絡片検出部５０の発光部５１に発光させるための検出用電流を供給する電源である。電源部１００は、配線１０１、１０２を介して、短絡片５０の発光部５１と電気的に接続されている。
【００４９】
図３に示すように、電源部８０（のプラス極）は、配線８１を介して、短絡片検出部５０のフォトトランジスタ部５２と電気的に接続されている。短絡片検出部５０のフォトトランジスタ部５２は、配線８２ａを介して、第１端子１０ａの内筒部１４ａに電気的に接続されている。第１端子１０ａの内筒部１４ａは、上述のように、第１素子３０ａと電気的に接続されている。第１素子３０ａは、配線８４ａを介して、第１点灯部３５ａと電気的に接続されている。第１点灯部３５ａは、配線８５ａを介して、第１端子１０ａの内軸部１５ａと電気的に接続されている。内軸部１５ａは、配線８７ａを介して、電源部８０（のマイナス極）と電気的に接続されている。
【００５０】
また、図３に示すように、短絡片検出部５０のフォトトランジスタ部５２は、配線８２ｂを介して、第２端子１０ｂの内筒部１４ｂに電気的に接続されている。第２端子１０ｂの内筒部１４ｂは、第２素子３０ｂと電気的に接続されている。第２素子３０ｂは、配線８４ｂを介して、第２点灯部３５ｂと電気的に接続されている。第２点灯部３５ｂは、配線８５ｂを介して、第２端子１０ｂの内軸部１５ｂと電気的に接続されている。内軸部１５ｂは、配線８７ｂを介して、電源部８０（のマイナス極）と電気的に接続されている。第１端子１０ａの内筒部１４ａと第２端子１０ｂの内筒部１４ｂとは、互いに並列に、短絡片検出部５０のフォトトランジスタ部５２に接続されている。
【００５１】
ここで、図４に示すように、短絡片検出部５０のフォトトランジスタ部５２は、トランジスタのベースであるベース部５２Ｂと、トランジスタのコレクタであるコレクタ部５２Ｃと、トランジスタのエミッタであるエミッタ部５２Ｅとを有する。フォトトランジスタ部５２は、コレクタ部５２Ｃが電源部８０と接続され、エミッタ部５２Ｅが第１素子３０ａ及び第２素子３０ｂに接続される。コレクタ部５２Ｃは、電源部８０からの通知用電流が入力される。
【００５２】
短絡片検出部５０の発光部５１は、電源部１００から検出用電流が入力される。図３に示すように、発光部５１は、検出用電流により光Ｌ１を照射する。光Ｌ１は、短絡片検出部５０から、基板６と反対側に向かう光である。短絡片６０が第１端子１０ａ及び第２端子１０ｂに取付けられた場合、短絡片６０の絶縁部６３は、短絡片検出部５０と対向する位置に配置されている。短絡片６０は、絶縁部６３が、光Ｌ１が照射された場合、光Ｌ１の反射光である反射光Ｌ２を反射する。反射光Ｌ２は、短絡片６０から基板６、より詳しくは、短絡片６０から短絡片検出部５０のフォトトランジスタ部５２に向かう方向の光である。
【００５３】
フォトトランジスタ部５２のベース部５２Ｂは、短絡片６０が反射した反射光が照射されることにより、コレクタ部５２Ｃに入力された通知用電流を、エミッタ部５２Ｅに出力する。より詳しくは、ベース部５２Ｂは、所定の光量Ｌ以上の光を受光することにより、コレクタ部５２Ｃに入力された通知用電流を、エミッタ部５２Ｅに出力する。ここで、所定の光量Ｌは、第１端子１０ａと第２端子１０ｂとの間であって短絡片６０が配置される位置に所定の物体が配置され、その所定の物体が光Ｌ１を反射した場合の反射光Ｌ３の光量値を、この所定の光量Ｌの光量値として設定される。第１実施形態においては、所定の物体は、短絡片６０である。そして、絶縁部６３の反射光Ｌ２の光量値が、所定の光量Ｌの光量値となっている。
【００５４】
図４に示すように、エミッタ部５２Ｅに出力された通知用電流は、第１素子３０ａ及び第２素子３０ｂに出力される。言い換えれば、短絡片検出部５０は、発光部５１が照射した光が短絡片６０に反射されて、ベース部５２Ｂに反射された光が照射されることにより、通知用電流を導通する。
【００５５】
第１素子３０ａは、第１端子１０ａの外筒部１３ａと第１端子台２０ａの胴部２１ａとのねじの締め付けが適切に行われている場合、第１端子１０ａの頭部１１ａと短絡片６０の鉤部６２ａとに挟持される。言い換えれば、第１素子３０ａは、ねじの締め付けトルクにより、圧力が加えられる。第１素子３０ａは、圧力を加えることにより電気抵抗が小さくなる。第１素子３０ａは、第１端子１０ａの第１端子台２０ａへの締付トルクにより、所定の閾値以上の圧力が印加された場合、電気抵抗が所定の値以下となり、通知用電流を導通する。所定の閾値は、短絡片６０の鉤部６２ａが第１端子１０ａから外れないために必要な、第１端子１０ａと第１端子台２０ａとの間のねじの締め付けトルク値を、第１素子３０ａへの圧力値に換算して設定される。
【００５６】
図４に示すように、第１素子３０ａが導通した通知用電流は、第１点灯部３５ａに出力される。第１点灯部３５ａは、この通知用電流が入力されることにより、光を点灯する。なお、第１実施形態では、第１素子３０ａの導通した通知用電流により第１点灯部３５ａが点灯した光が、作業者に視認できる程度の光量であった場合に、第１素子３０ａが通知用電流を導通したという。
【００５７】
同様に、第２素子３０ｂは、第２端子１０ｂの外筒部１３ｂと第２端子台２０ｂの胴部２１ｂとのねじの締め付けが適切に行われている場合、第２端子１０ｂの頭部１１ｂと短絡片６０の鉤部６２ｂとに挟持される。言い換えれば、第２素子３０ｂは、ねじの締め付けトルクにより、圧力が加えられる。第２素子３０ｂは、圧力を加えることにより電気抵抗が小さくなる。第２素子３０ｂは、第２端子１０ｂの第２端子台２０ｂへの締付トルクにより、所定の閾値以上の圧力が印加された場合、電気抵抗が所定の値以下となり、通知用電流を導通する。図４に示すように、第２素子３０ｂが導通した通知用電流は、第２点灯部３５ｂに出力される。第２点灯部３５ｂは、この通知用電流が入力されることにより、光を点灯する。なお、第１実施形態では、第２素子３０ｂの導通した通知用電流により第２点灯部３５ｂが点灯した光が、作業者に視認できる程度の光量であった場合に、第２素子３０ｂが通知用電流を導通したという。
【００５８】
以上のように、第１点灯部３５ａは、短絡片検出部５０の発光部５１が照射した光Ｌ１が短絡片６０に反射されて、ベース部５２Ｂに短絡片６０の反射光Ｌ２が照射されて、かつ、第１素子３０ａに所定の閾値以上の圧力が印加された場合に、通知用電流が入力されて光を点灯する。同様に、第２点灯部３５ｂは、短絡片検出部５０の発光部５１が照射した光Ｌ１が短絡片６０に反射されて、ベース部５２Ｂに短絡片６０の反射光Ｌ２が照射されて、第２素子３０ｂに所定の閾値以上の圧力が印加された場合に、通知用電流が入力されて光を点灯する。この第１点灯部３５ａと第２点灯部３５ｂとに光が点灯される場合のフローを、以下、フローチャートで説明する。
【００５９】
図５は、第１点灯部と第２点灯部とが光を点灯する場合のフローを説明するフローチャートである。短絡片検出部５０は、発光部５１が、光Ｌ１を照射している。また、短絡片検出部５０は、コレクタ部５２Ｃに、電源部８０からの通知用電流が入力されている。図５に示すように、短絡片検出部５０は、自身の照射した光の反射光を受光しているかを検出する（ステップＳ１２）。より詳しくは、短絡片検出部５０は、ベース部５２Ｂに所定の光量Ｌ以上の光が照射されている場合に通知用電流を導通させることにより、自身の照射した光の反射光を受光しているかを検出する。
【００６０】
短絡片検出部５０が反射光を受光している場合（ステップＳ１２；Ｙｅｓ）、短絡片検出部５０は、通知用電流を導通させる（ステップＳ１４）。より詳しくは、短絡片検出部５０のベース部５２Ｂは、所定の光量Ｌ以上の反射光を受光している場合、コレクタ部５２Ｃに入力された通知用電流をエミッタ部５２Ｅに導通させる。エミッタ部５２Ｅは、第１素子３０ａ及び第２素子３０ｂに接続されている。従って、短絡片検出部５０が導通した通知用電流は、第１素子３０ａ及び第２素子３０ｂに出力される。なお、上述のように、所定の光量Ｌは、第１端子１０ａと第２端子１０ｂとの間に配置された短絡片６０の反射光Ｌ２の光量である。従って、短絡片検出部５０は、短絡片６０が第１端子１０ａと第２端子１０ｂとの間に配置されているかを検出する機能を有する。
【００６１】
短絡片検出部５０が通知用電流を導通させた後、第１素子３０ａは、第１素子３０ａの受圧値が所定の閾値以上であるかを検出する（ステップＳ１６）。第１素子３０ａは、所定の閾値以上の圧力を受けることにより電気抵抗が所定の値以下となって、通知用電流を導通することにより、受圧値が所定の閾値以上であるかを検出する。
【００６２】
第１素子３０ａの受圧値が所定の閾値以上である場合（ステップＳ１６；Ｙｅｓ）、第１素子３０ａは、短絡片検出部５０から入力された通知用電流を導通させる（ステップＳ１８）。ここで、所定の閾値とは、短絡片６０の鉤部６２ａが第１端子１０ａから外れないために必要な、第１端子１０ａと第１端子台２０ａとの間のねじの締め付けトルク値を、第１素子３０ａへの圧力値に換算して設定された値である。従って、第１素子３０ａは、短絡片６０が第１端子１０ａから外れない程度の強さで、第１端子１０ａが第１端子台２０ａに締め付けられていたかを検出する機能を有する。
【００６３】
第１素子３０ａが通知用電流を導通させた場合、第２素子３０ｂは、第２素子３０ｂの受圧値が所定の閾値以上であるかを検出する（ステップＳ２０）。第２素子３０ｂは、所定の閾値以上の圧力を受けることにより電気抵抗が所定の値以下となって、通知用電流を導通することにより、受圧値が所定の閾値以上であるかを検出する。
【００６４】
第２素子３０ｂの受圧値が所定の閾値以上である場合（ステップＳ２０；Ｙｅｓ）、第２素子３０ｂは、短絡片検出部５０から入力された通知用電流を導通させる（ステップＳ２２）。ここで、所定の閾値とは、短絡片６０の鉤部６２ｂが第１端子１０ｂから外れないために必要な、第２端子１０ｂと第２端子台２０ｂとの間のねじの締め付けトルク値を、第２素子３０ｂへの圧力値に換算して設定された値である。従って、第２素子３０ｂは、短絡片６０が第２端子１０ｂから外れない程度の強さで、第２端子１０ｂが第２端子台２０ｂに締め付けられていたかを検出する機能を有する。
【００６５】
ステップＳ２２で第２素子３０ｂが通知用電流を導通させた場合、第１点灯部３５ａと第２点灯部３５ｂとの両方が点灯する（ステップＳ２４）。より詳しくは、第１素子３０ａは、第１点灯部３５ａに接続されている。従って、ステップＳ１８で第１素子３０ａが通知用電流を導通させた場合、この通知用電流は、第１点灯部３５ａに入力される。第１点灯部３５ａは、入力された通知用電流により点灯する。同様に、第２素子３０ｂは、第２点灯部３５ｂに接続されている。従って、ステップＳ２２で第２素子３０ｂが通知用電流を導通させた場合、この通知用電流は、第２点灯部３５ｂに入力される。従って、この場合、第２点灯部３５ｂも、点灯する。
【００６６】
ステップＳ２０において第２素子３０ｂの受圧値が所定の閾値以上でない場合（ステップＳ２０；Ｎｏ）、第２素子３０ｂは、短絡片検出部５０から入力された通知用電流を導通しない（ステップＳ２６）。そして、ステップＳ２６で第２素子３０ｂが通知用電流を導通しない場合、第１点灯部３５ａのみが点灯する（ステップＳ２８）。この場合では、第１素子３０ａは、通知用電流を導通するため、第１点灯部３５ａに通知用電流が入力される。しかし、第２素子３０ｂは、通知用電流を導通しないため、第２点灯部３５ｂに通知用電流が入力されない。従って、ステップＳ２８では、第１点灯部３５ａのみが点灯し、第２点灯部３５ｂは点灯しない。
【００６７】
また、ステップＳ１６において第１素子３０ａの受圧値が所定の閾値以上でない場合（ステップＳ１６；Ｎｏ）、第１素子３０ａは、短絡片検出部５０から入力された通知用電流を導通しない（ステップＳ３０）。そして、第１素子３０ａが通知用電流を導通しない場合においても、第２素子３０ｂは、第２素子３０ｂの受圧値が所定の閾値以上であるかを検出する（ステップＳ３２）。
【００６８】
ステップＳ３２で第２素子３０ｂの受圧値が所定の閾値以上である場合（ステップＳ３２；Ｙｅｓ）、第２素子３０ｂは、短絡片検出部５０から入力された通知用電流を導通させる（ステップＳ３４）。ステップＳ３４で第２素子３０ｂが通知用電流を導通させた場合、第２点灯部３５ｂのみが点灯する（ステップＳ３６）。この場合では、第１素子３０ａは、通知用電流を導通しないため、第１点灯部３５ａに通知用電流が入力されない。しかし、第２素子３０ｂは、通知用電流を導通するため、第２点灯部３５ｂに通知用電流が入力される。従って、ステップＳ３６では、第２点灯部３５ｂのみが点灯し、第１点灯部３５ａは点灯しない。
【００６９】
また、ステップＳ３２で第２素子３０ｂの受圧値が所定の閾値以上でない場合（ステップＳ３２；Ｎｏ）、第２素子３０ｂは、短絡片検出部５０から入力された通知用電流を導通しない（ステップＳ３８）。ステップＳ３８で第２素子３０ｂが通知用電流を導通しない場合、第１点灯部３５ａと第２点灯部３５ｂとが点灯しない（ステップＳ４０）。この場合では、第１素子３０ａは、通知用電流を導通しないため、第１点灯部３５ａに通知用電流が入力されない。また、第２素子３０ｂも、通知用電流を導通しないため、第２点灯部３５ｂに通知用電流が入力されない。従って、ステップＳ４０では、第１点灯部３５ａ及び第２点灯部３５ｂの双方が点灯しない。
【００７０】
また、ステップＳ１２において短絡片検出部５０が反射光を受光していない場合（ステップＳ１２；Ｎｏ）、短絡片検出部５０は、通知用電流を導通させない（ステップＳ１５）。より詳しくは、この場合において、短絡片検出部５０のベース部５２Ｂは、所定の光量Ｌ以上の反射光を受光していないため、コレクタ部５２Ｃに入力された通知用電流をエミッタ部５２Ｅに導通させない。
【００７１】
ステップＳ１５において短絡片検出部５０が通知用電流を導通しない場合、ステップＳ４０に進み、第１点灯部３５ａと第２点灯部３５ｂとの両方が点灯しない。短絡片検出部５０は、第１素子３０ａ及び第２素子３０ｂに通知用電流を出力しないため、第１点灯部３５ａ及び第２点灯部３５ｂにも、通知用電流が入力されない。従って、この場合では、第１点灯部３５ａと第２点灯部３５ｂとの両方が点灯しない。ステップＳ２４、ステップＳ２８、ステップＳ３６、又はステップＳ４０のいずれかのステップが実行されることにより、このフローは終了する。
【００７２】
以上説明したように、第１実施形態に係るトリップロック端子台２は、基板６に固定される第１端子１０ａ及び第２端子１０ｂを有する。また、トリップロック端子台２は、第１端子１０ａと第２端子１０ｂとの間に配置されて第１端子１０ａと第２端子１０ｂとを接続する短絡片６０を有する。また、トリップロック端子台２は、第１端子１０ａと第２端子１０ｂとの間であって短絡片６０と対向する位置に設けられる短絡片検出部５０を有する。この短絡片検出部５０は、短絡片６０が第１端子１０ａと第２端子１０ｂとの間に配置された場合に、通知用電流を生成する電源部８０からの通知用電流を導通する。また、トリップロック端子台２は、第１端子１０ａに設けられて、短絡片検出部５０と電気的に接続される第１素子３０ａを有する。第１素子３０ａは、短絡片６０が第１端子１０ａに取付けられると、短絡片検出部５０が導通する通知用電流を導通する。また、トリップロック端子台２は、第２端子１０ｂに設けられて、短絡片検出部５０と電気的に接続される第２素子３０ｂを有する。第２素子３０ｂは、短絡片６０が第２端子１０ｂに取付けられると、短絡片検出部５０が導通する通知用電流を導通する。また、トリップロック端子台２は、通知部としての第１点灯部３５ａと第２点灯部３５ｂとを有する。第１点灯部３５ａは、第１素子３０ａと電気的に接続され、第１素子３０ａが通知用電流を導通しているか否かを通知する。第２点灯部３５ｂは、第２素子３０ｂと電気的に接続され、第２素子３０ｂが通知用電流を導通しているか否かを通知する。
【００７３】
トリップロック端子台２は、短絡片６０が第１端子１０ａと第２端子１０ｂとの間に配置され、かつ、第１端子１０ａと短絡片６０とが接続され、かつ、第２端子１０ｂと短絡片６０とが接続されている状態となって初めて、確実に遮断器と保護継電器とを電気的に接続する。例えば、短絡片６０が第１端子１０ａと第２端子１０ｂとの間に配置されていない場合、短絡片６０が第１端子１０ａと第２端子１０ｂとに適切に接続されていない可能性がある。また、例えば、第１端子１０ａと短絡片６０とが接続されていない場合、遮断器と保護継電器とは非接続となる。また、第２端子１０ｂと短絡片６０とが接続されていない場合、遮断器と保護継電器とは非接続となる。
【００７４】
ここで、第１実施形態に係るトリップロック端子台２は、短絡片検出部５０が、短絡片６０が第１端子１０ａと第２端子１０ｂとの間に配置された場合に通知用電流を導通する。そして、第１素子３０ａは、第１端子１０ａと短絡片６０とが接続された場合に、短絡片検出部５０が導通した通知用電流を導通する。第１点灯部３５ａは、第１素子３０ａが通知用電流を導通したかを通知する。また、第２素子３０ｂは、第２端子１０ｂと短絡片６０とが接続された場合に、短絡片検出部５０が導通した通知用電流を導通する。第２点灯部３５ｂは、第２素子３０ｂが通知用電流を導通したかを通知する。従って、トリップロック端子台２は、短絡片６０が第１端子１０ａと第２端子１０ｂとの間に配置され、かつ、第１端子１０ａと短絡片６０とが接続され、かつ、第２端子１０ｂと短絡片６０とが接続されている状態となっているか否かを、確実に作業者に通知することができる。従って、第１実施形態に係るトリップロック端子台２は、作業者がトリップロック端子台２の接続状態を確実に認識できることができ、遮断器が作動しないことを抑制することができる。
【００７５】
なお、第１実施形態においては、作業者に接続状態を通知するための通知部は、第１点灯部３５ａと第２点灯部３５ｂとの２つであったが、１つの点灯部であってもよい。この場合、１つの点灯部は、第１端子１０ａが通知用電流を導通し、かつ、第２端子１０ｂが通知用電流を導通する場合に、点灯する構成となる。
【００７６】
また、第１実施形態において、第１素子３０ａ及び第２素子３０ｂは、圧力素子である。第１素子３０ａは、第１端子１０ａの頭部１１ａと短絡片６０とに挟持され、短絡片６０によって第１端子１０ａに所定の閾値以上の力が作用すると、通知用電流を導通する。第２素子３０ｂは、第２端子１０ｂの頭部１１ｂと短絡片６０とに挟持され、短絡片６０によって第２端子１０ｂに所定の閾値以上の力が作用すると、通知用電流を導通する。第１素子３０ａ及び第２素子３０ｂは、圧力素子であるため、短絡片６０が、第１端子１０ａ及び第２端子１０ｂに確実に接続されたかを、適切に検出することができる。例えば、第１素子３０ａ及び第２素子３０ｂは、短絡片６０を締め付けるための締付トルクが小さく、短絡片６０が外れてしまうことなどを抑制することができる。ただし、第１素子３０ａ及び第２素子３０ｂは、短絡片が各端子に接続されている場合に、通知用電流を導通するものであれば、圧力素子でなくてもよい。
【００７７】
また、第１実施形態において、短絡片検出部５０は、第１端子１０ａと第２端子１０ｂとの間に配置されている。従って、短絡片検出部５０は、短絡片６０が第１端子１０ａと第２端子１０ｂとの間にあることを、確実に検出することができる。さらに、短絡片検出部５０は、発光部５１及びフォトトランジスタ部５２を有するフォトリフレクタであり、発光部５１の照射した光が短絡片６０に反射されることにより、通知用電流を導通する。従って、短絡片検出部５０は、短絡片６０が第１端子１０ａと第２端子１０ｂとの間にあることを、確実に検出することができる。ただし、短絡片検出部５０は、短絡片６０が第１端子１０ａと第２端子１０ｂとの間に配置されている場合に通知用電流を導通するものであれば、フォトリフレクタでなくてもよい。
【００７８】
また、例えば、第１素子３０ａ及び第２素子３０ｂが圧力素子である場合であって、第１端子１０ａにだけ短絡片６０が取り付けられ、第２端子１０ｂには短絡片６０が取り付けられていない場合を考える。この場合であって、さらに、第２端子１０ｂは、所定の閾値以上に締め付けられており所定の閾値以上の力が作用していると、第２素子３０ｂは、電流を導通することが可能となる。しかし、短絡片検出部５０は、このような場合にも、第２素子３０ｂに対し電流を導通させない。従って、短絡片検出部５０は、このように短絡片６０が取り付けられていない場合での誤通知を抑制することができる。
【００７９】
また、第１実施形態においては、トリップロック端子台２は、通知部として、第１点灯部３５ａと第２点灯部３５ｂとの２つを有する。従って、トリップロック端子台２は、第１端子１０ａと第２端子１０ｂとのいずれの接続が不良であるかを、作業者に認識させることができる。また、通知部としての第１点灯部３５ａと第２点灯部３５ｂとは、短絡片６０が適切に接続している場合に点灯するＬＥＤである。従って、トリップロック端子台２は、短絡片６０が適切に接続していることを、確実に認識することができる。ただし、第１点灯部３５ａと第２点灯部３５ｂとは、短絡片６０が適切に接続していない場合に点灯するものであってもよい。また、第１点灯部３５ａは、第１素子３０ａが通知用電流を導通しているか否かを通知し、第２点灯部３５ｂは、第２素子３０ｂが通知用電流を導通しているか否かを通知するものであれば、点灯により通知するＬＥＤに限られない。
【００８０】
（第２実施形態）
次に、第２実施形態について説明する。第２実施形態に係るトリップロックユニット１Ｘは、トリップロックユニット１Ａと、トリップロックユニット１Ｂと、接続状態検出装置１１０とを有する。トリップロックユニット１Ａは、トリップロック端子台２Ａと回路部５とを有する。トリップロックユニット１Ｂは、トリップロック端子台２Ｂと回路部５とを有する。トリップロック端子台２Ａ、２Ｂは、第１実施形態に係るトリップロック端子台２と同様の構成を有する。接続状態検出装置１１０は、トリップロック端子台２Ａ、２Ｂとは異なる箇所に設けられており、異なる場所からトリップロック端子台２Ａ、２Ｂの接続状態を検出する装置である。
【００８１】
図６は、第２実施形態に係るトリップロック端子台と接続状態検出装置との回路構成を模式的に示す回路図である。図６に示すように、接続状態検出装置１１０は、フォトカプラユニット１１１Ａ、１１１Ｂと、フォトカプラ電源部１１５と、スイッチ部１１６と、リレー部１１８と、状態検出電源部１２０と、接点部１２４と、状態通知部１２６と、を有する。接続状態検出装置１１０は、フォトカプラ電源部１１５と、フォトカプラユニット１１１Ａ、１１１Ｂと、スイッチ部１１６と、リレー部１１８とが、１つの回路を形成している。また、接続状態検出装置１１０は、状態検出電源部１２０と、接点部１２４と、状態通知部１２６とが、１つの回路を形成している。
【００８２】
フォトカプラ電源部１１５は、フォトカプラユニット１１１Ａ、１１１Ｂに出力するフォトカプラ用電流を供給する電源である。フォトカプラユニット１１１Ａ、１１１Ｂは、フォトカプラ電源部１１５と電気的に接続されている。フォトカプラユニット１１１Ａは、第１フォトカプラ部１１２Ａａと、第２フォトカプラ部１１２Ａｂとを有し、トリップロック端子台２Ａと電気的に接続される。フォトカプラユニット１１１Ｂは、第１フォトカプラ部１１２Ｂａと、第２フォトカプラ部１１２Ｂｂとを有し、トリップロック端子台２Ｂと電気的に接続される。
【００８３】
図６に示すように、第１フォトカプラ部１１２Ａａは、第１発光部１１３Ａａと、第１フォトトランジスタ部１１４Ａａとを有するフォトカプラである。第１発光部１１３Ａａは、トリップロック端子台２Ａの第１点灯部３５ａを介して、トリップロック端子台２Ａの第１素子３０ａと電気的に接続されている。第１フォトトランジスタ部１１４Ａａは、トランジスタのベースであるベース部１１４Ｂと、トランジスタのコレクタであるコレクタ部１１４Ｃと、トランジスタのエミッタであるエミッタ部１１４Ｅとを有する。第１フォトトランジスタ部１１４Ａａのコレクタ部１１４Ｃは、フォトカプラ電源部１１５（のプラス極）と電気的に接続されており、フォトカプラ電源部１１５からフォトカプラ電流が入力される。なお、第１発光部１１３Ａａは、第１点灯部３５ａを介さず、第１素子３０ａと直接接続されていてもよい。
【００８４】
第１発光部１１３Ａａは、トリップロック端子台２Ａの第１素子３０ａが導通した通知用電流が、第１点灯部３５ａを介して入力される。第１発光部１１３Ａａは、通知用電流により発光する。第１フォトトランジスタ部１１４Ａａのベース部１１４Ｂは、第１発光部１１３Ａａが発光した光を受光する。第１フォトトランジスタ部１１４Ａａのベース部１１４Ｂは、第１発光部１１３Ａａの光を受光することにより、第１フォトトランジスタ部１１４Ａａのコレクタ部１１４Ｃに入力されるフォトカプラ電流を、第１フォトトランジスタ部１１４Ａａのエミッタ部１１４Ｅに導通させる。
【００８５】
第２フォトカプラ部１１２Ａｂは、第２発光部１１３Ａｂと、第２フォトトランジスタ部１１４Ａｂとを有するフォトカプラである。第２発光部１１３Ａｂは、トリップロック端子台２Ａの第２点灯部３５ｂを介して、第２素子３０ｂと電気的に接続されている。第２フォトトランジスタ部１１４Ａｂは第１フォトトランジスタ部１１４Ａａと同じ構成である。第２フォトトランジスタ部１１４Ａｂのコレクタ部１１４Ｃは、第１フォトトランジスタ部１１４Ａａのエミッタ部１１４Ｅと電気的に接続されており、第１フォトトランジスタ部１１４Ａａのエミッタ部１１４Ｅからフォトカプラ電流が入力される。
【００８６】
第２発光部１１３Ａｂは、トリップロック端子台２Ａの第２素子３０ｂが導通した通知用電流が、第２点灯部３５ｂを介して入力される。第２発光部１１３Ａｂは、通知用電流により発光する。第２フォトトランジスタ部１１４Ａｂのベース部１１４Ｂが、第２発光部１１３Ａｂが発光した光を受光する。第２フォトトランジスタ部１１４Ａｂのベース部１１４Ｂは、第２発光部１１３Ａｂの光を受光することにより、第２フォトトランジスタ部１１４Ａｂのコレクタ部１１４Ｃに入力されるフォトカプラ電流を、第２フォトトランジスタ部１１４Ａｂのエミッタ部１１４Ｅに導通させる。
【００８７】
第１フォトカプラ部１１２Ｂａは、第１発光部１１３Ｂａと、第１フォトトランジスタ部１１４Ｂａとを有するフォトカプラである。第１発光部１１３Ｂａは、トリップロック端子台２Ｂの第１点灯部３５ａを介して、第１素子３０ａと電気的に接続されている。第１フォトトランジスタ部１１４Ｂａは第１フォトトランジスタ部１１４Ａａと同じ構成である。第１フォトトランジスタ部１１４Ｂａのコレクタ部１１４Ｃは、第２フォトトランジスタ部１１４Ａｂのエミッタ部１１４Ｅと電気的に接続されており、第２フォトトランジスタ部１１４Ａｂのエミッタ部１１４Ｅからフォトカプラ電流が入力される。
【００８８】
第１発光部１１３Ｂａは、トリップロック端子台２Ｂの第１素子３０ａが導通した通知用電流が、第１点灯部３５ａを介して入力される。第１発光部１１３Ｂａは、通知用電流により発光する。第１フォトトランジスタ部１１４Ｂａのベース部１１４Ｂが、第１発光部１１３Ｂａが発光した光を受光する。第１フォトトランジスタ部１１４Ｂａのベース部１１４Ｂは、第１発光部１１３Ｂａの光を受光することにより、第１フォトトランジスタ部１１４Ｂａのコレクタ部１１４Ｃに入力されるフォトカプラ電流を、第１フォトトランジスタ部１１４Ｂａのエミッタ部１１４Ｅに導通させる。
【００８９】
第２フォトカプラ部１１２Ｂｂは、第２発光部１１３Ｂｂと、第２フォトトランジスタ部１１４Ｂｂとを有するフォトカプラである。第２発光部１１３Ｂｂは、トリップロック端子台２Ｂの第２点灯部３５ｂを介して、第２素子３０ｂと電気的に接続されている。第２フォトトランジスタ部１１４Ｂｂは第１フォトトランジスタ部１１４Ａａと同じ構成である。第２フォトトランジスタ部１１４Ｂｂのコレクタ部１１４Ｃは、第１フォトトランジスタ部１１４Ｂａのエミッタ部１１４Ｅと電気的に接続されており、第１フォトトランジスタ部１１４Ｂａのエミッタ部１１４Ｅからフォトカプラ電流が入力される。
【００９０】
第２発光部１１３Ｂｂは、トリップロック端子台２Ｂの第２素子３０ｂが導通した通知用電流が、第２点灯部３５ｂを介して入力される。第２発光部１１３Ｂｂは、通知用電流により発光する。第２フォトトランジスタ部１１４Ｂｂのベース部１１４Ｂが、第２発光部１１３Ｂｂが発光した光を受光する。第２フォトトランジスタ部１１４Ｂｂのベース部１１４Ｂは、第２発光部１１３Ｂｂの光を受光することにより、第２フォトトランジスタ部１１４Ｂｂのコレクタ部１１４Ｃに入力されるフォトカプラ電流を、第２フォトトランジスタ部１１４Ｂｂのエミッタ部１１４Ｅに導通させる。
【００９１】
このように、第１フォトカプラ部１１２Ａａと、第２フォトカプラ部１１２Ａｂと、第１フォトカプラ部１１２Ｂａと、第２フォトカプラ部１１２Ｂｂとは、直列に接続されている。第１フォトカプラ部１１２Ａａは、トリップロック端子台２Ａの第１素子３０ａが通知用電流を導通した場合、すなわちトリップロック端子台２Ａの第１端子１０ａと短絡片６０とが適切に接続された場合に、フォトカプラ電流を導通し、フォトカプラ電流を第２フォトカプラ部１１２Ａｂに出力する。同様に、第２フォトカプラ部１１２Ａｂは、トリップロック端子台２Ａの第２端子１０ｂと短絡片６０とが適切に接続された場合に、フォトカプラ電流を導通し、フォトカプラ電流を第１フォトカプラ部１１２Ｂａに出力する。同様に、第１フォトカプラ部１１２Ｂａは、トリップロック端子台２Ｂの第１端子１０ａと短絡片６０とが適切に接続された場合に、フォトカプラ電流を導通し、フォトカプラ電流を第２フォトカプラ部１１２Ｂｂに出力する。同様に、第２フォトカプラ部１１２Ｂｂは、トリップロック端子台２Ｂの第２端子１０ｂと短絡片６０とが適切に接続された場合に、フォトカプラ電流を導通する。
【００９２】
リレー部１１８は、電流が入力された場合に、ｂ接点である接点部１２４の接点を開く（非接続状態とする）リレーである。図６に示すように、リレー部１１８は、第２フォトトランジスタ部１１４Ｂｂのエミッタ部１１４Ｅと電気的に接続されている。すなわち、リレー部１１８は、第１フォトカプラ部１１２Ａａ、第２フォトカプラ部１１２Ａｂと、第１フォトカプラ部１１２Ｂａ、及び第２フォトカプラ部１１２Ｂｂの全てがフォトカプラ電流を導通した場合に、フォトカプラ電流が入力される。リレー部１１８は、フォトカプラ電流が入力された場合に動作し、接点部１２４の接点を開く（非接続状態とする）。リレー部１１８は、フォトカプラ電源部１１５（のマイナス極）に接続される。なお、スイッチ部１１６は、フォトカプラ電源部１１５と第１フォトカプラ部１１２Ａａとの間、及び第２フォトカプラ部１１２Ｂｂとリレー部１１８との間に接続され、それらの接続及び非接続を切り替えるスイッチである。
【００９３】
状態検出電源部１２０は、状態通知部１２６に供給する状態通知用電流を供給する電源である。接点部１２４は、状態検出電源部１２０（のプラス極）と状態通知部１２６との間に接続される。状態通知部１２６は、本実施形態ではＬＥＤであり、状態通知用電流が導通されることにより点灯する。
【００９４】
接点部１２４は、上述のように、ｂ接点である。接点部１２４は、リレー部１１８が動作している状態で、状態検出電源部１２０と状態通知部１２６とを非接続（開路）とする。接点部１２４は、リレー部１１８が動作していない状態で、状態検出電源部１２０と状態通知部１２６とを接続（閉路）とする。すなわち、状態通知部１２６は、リレー部１１８にフォトカプラ電流が入力される（リレー部１１８が動作する）場合に、状態通知用電流が導通されないため点灯しない。また、状態通知部１２６は、リレー部１１８にフォトカプラ電流が入力されていない（リレー部１１８が動作しない）場合に、状態通知用電流が導通され、点灯する。
【００９５】
上述のように、リレー部１１８は、第１フォトカプラ部１１２Ａａ、第２フォトカプラ部１１２Ａｂと、第１フォトカプラ部１１２Ｂａ、及び第２フォトカプラ部１１２Ｂｂの全てがフォトカプラ電流を導通した場合に、フォトカプラ電流が入力され、動作する。従って、状態通知部１２６は、トリップロック端子台２Ａ、２Ｂの第１端子１０ａ、第２端子１０ｂのうち全て（４つ）が、短絡片６０と適切に接続された場合には、状態通知用電流が導通されず、点灯しない。一方、状態通知部１２６は、トリップロック端子台２Ａ、２Ｂの第１端子１０ａ、第２端子１０ｂのうち少なくともいずれか１つが、短絡片６０と適切に接続されていない場合には、状態通知用電流が導通されて、点灯する。従って、状態通知部１２６は、トリップロック端子台２Ａ、２Ｂの第１端子１０ａ、第２端子１０ｂのうちのいずれかに短絡片６０との接続異常があった場合に、点灯することにより、接続異常を作業者に通知することができる。
【００９６】
このように、第２実施形態に係る接続状態検出装置１１０は、トリップロック端子台２Ａ、２Ｂとそれぞれ電気的に接続されるフォトカプラユニット１１１Ａ、１１１Ｂと、フォトカプラユニット１１１Ａ、１１１Ｂにフォトカプラ用電流を供給するフォトカプラ電源部１１５と、フォトカプラユニット１１１Ａ、１１１Ｂと電気的に接続されるリレー部１１８と、リレー部１１８によって通電されて、通電されている状態であることを通知する状態通知部１２６とを有する。フォトカプラユニット１１１Ａは、トリップロック端子台２Ａの第１素子３０ａと電気的に接続される第１フォトカプラ部１１２Ａａと、トリップロック端子台２Ａの第２素子３０ｂと電気的に接続される第２フォトカプラ部１１２Ａｂと、を有する。第１フォトカプラ部１１２Ａａは、第１素子３０ａが導通した通知用電流が入力されることにより発光する第１発光部１１３Ａａと、第１発光部１１３Ａａからの光を受光することにより、フォトカプラ用電流を導通する第１フォトトランジスタ部１１４Ａａとを有する。第２フォトカプラ部１１２Ａｂは、第２素子３０ｂが導通した通知用電流が入力されることにより発光する第２発光部１１３Ａｂと、第２発光部１１３Ａｂからの光を受光することにより、フォトカプラ用電流を導通する第２フォトトランジスタ部１１４Ａｂとを有する。また、同様に、フォトカプラユニット１１１Ｂは、トリップロック端子台２Ｂの第１素子３０ａと電気的に接続される第１フォトカプラ部１１２Ｂａと、トリップロック端子台２Ｂの第２素子３０ｂと電気的に接続される第２フォトカプラ部１１２Ｂｂと、を有する。そして、リレー部１１８は、フォトカプラユニット１１１Ａ、１１１Ｂが有する第１フォトカプラ部１１２Ａａと、第２フォトカプラ部１１２Ａｂと、第１フォトカプラ部１１２Ｂａと、第２フォトカプラ部１１２Ｂｂとのうち、少なくともいずれか１つがフォトカプラ用電流を導通しない場合に、状態通知部１２６を通電する。
【００９７】
状態通知部１２６は、トリップロック端子台２Ａ、２Ｂの第１端子１０ａ、第２端子１０ｂのうちのいずれかに短絡片６０との接続異常があった場合に通電し、通電している状態であることを、作業者に通知する。従って、接続状態検出装置１１０は、複数のトリップロック端子台において、短絡片６０の接続異常があったことを、一度に、かつ、別の場所において認識することができる。従って、接続状態検出装置１１０は、遮断器が作動しないことを抑制することができる。
【００９８】
なお、状態通知部１２６は、複数のトリップロック端子台において短絡片６０の接続異常があったことを通知できるものであれば、状態通知部１２６は、短絡片６０の接続異常があった場合に消灯するものであってもよい。また状態通知部１２６は、点灯により接続状態を通知するものでなくてもよく、接続状態を通知するものであれば、例えば音により通知するものであってもよい。また、接続状態検出装置１１０は、３台以上のトリップロック端子台に接続されるものであってもよい。また、状態通知部１２６は、各トリップロック端子台の接続が正常、又は異常である場合にフォトカプラ用電流を導通するものであれば、フォトカプラユニット１１１Ａ、１１１Ｂの代わりに、例えば、電磁継電器を有していてもよい。
【００９９】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０１００】
１  トリップロックユニット
２  トリップロック端子台
５  回路部
６  基板
１０ａ  第１端子
１０ｂ  第２端子
２０ａ  第１端子台
２０ｂ  第２端子台
３０ａ  第１素子
３０ｂ  第２素子
３５ａ  第１点灯部
３５ｂ  第２点灯部
５０  短絡片検出部
６０  短絡片
１１０  接続状態検出装置
【図１】
2016131079.tif 000003
【図２】
2016131079.tif 000004
【図３】
2016131079.tif 000005
【図４】
2016131079.tif 000006
【図５】
2016131079.tif 000007
【図６】
2016131079.tif 000008